(57)【特許請求の範囲】
【請求項１】
マットレスや畳等の被殺菌対象物を収納してその被殺菌対象物をオゾンにより殺菌するための殺菌袋において、袋体の一側端縁部にオゾン導入口とオゾン排気口とを設け、上記袋体の一方の面の内側に、一端が上記オゾン導入口に接続され複数のオゾン噴出穴が形成された袋状の流路を設け、上記袋体の一側端縁部を残して他の端縁部に開閉口を形成し、この開閉口にファスナ又はマジックテープを設けたことを特徴とする殺菌袋。
【請求項２】
上記袋体の一方の面に他のマジックテープのフック部を貼り付け、上記袋体の他方の面に、上記袋体を畳んだときに上記フック部と着脱自在に接合するように上記他のマジックテープのパイル部を貼り付けた請求項１記載の殺菌袋。
【請求項３】
上記袋体の袋状流路内にスペーサを挿入し、かつ、袋状流路内の穴を端部に形成した請求項１記載の殺菌袋。
【発明の詳細な説明】
【０００１】
【産業上の利用分野】
本発明は、袋体内に収容されたマットレスや畳等の被殺菌対象物をオゾンにより殺菌するための殺菌袋に関する。
【０００２】
【従来の技術】
病院や診療所等で使用されるマットレスは、ホルマリン燻蒸や天日干し等により殺菌が行われていた。
【０００３】
しかし、ホルマリン燻蒸の場合は燻蒸処理に一昼夜程度かかり、処理後もマットレスに強い臭気が残留するため、燻蒸処理後さらに一昼夜程度風通しのよいところに放置しなければ使用することができない。また天日干しの場合はマットレスの表面付近はともかくその内部まで殺菌することは困難である。
【０００４】
そこで、本発明者らは、袋体内に収容されたマットレスや畳等の被殺菌対象物をオゾンにより殺菌するための殺菌袋を提案した（特願平６−２０５８０号）。
【０００５】
図３は本発明の前提となった殺菌袋にオゾンを導入、排気するための殺菌装置の概念図であり、図４は本発明の前提となった殺菌袋の殺菌装置の概念図である。
【０００６】
図３において、殺菌装置１のケーシング２内には、コンプレッサ３及びオゾナイザ４で構成されたオゾン発生装置５と、オゾンキラー６と、オゾン排気用の真空ポンプ７とが設けられている。ケーシング２には空気取入口８、排気口９及び接続口１０、１１が形成されている。１２はオゾナイザ４を冷却するための冷却ファン、１３、１４は除菌フィルタ、１５はドライヤ、１６、１７は電磁バルブである。オゾン発生装置５、真空ポンプ７及び電磁バルブ１６、１７は制御装置によって制御される。
【０００７】
図４において殺菌袋２０は、端縁部に直線状の開閉口２１０が形成され、その開閉口２１０にファスナ２２が設けられた袋体２１と、袋体２１にフランジ２３、２４を介して設けられオゾンを袋体２１内に噴出するための複数の穴２５、２６が形成された配管（例えばステンレスからなる）２７、２８とで構成されている。
【０００８】
このような殺菌袋２０内にマットレス（図示せず）を収納し、配管２７、２８に設けられた接続ノズル２９、３０と、殺菌装置１の接続口１０、１１とをガスホース４２、４３で接続し、殺菌装置１を作動させると、オゾンが殺菌袋２０内に導入されてマットレスが殺菌脱臭される。
【０００９】
殺菌脱臭後は殺菌装置１のオゾン発生装置５が停止し、真空ポンプ７が作動して殺菌袋２０からオゾンが分解されて排気されることで殺菌が終了する。
【００１０】
【発明が解決しようとする課題】
しかしながら、上述した殺菌袋２０は袋体２１内に堅い配管２７、２８があり、しかも袋体２１の端縁部に開閉口２１０が形成されているので、マットレスを収納したり、取出したりするときに使用者が袋体２１を揺すったり、マットレスを押し込んだりしなければならず多少の手間がかかる。また、不使用時には配管２７、２８やフランジ２３、２４があるため、配管２７、２８の長さとフランジ２３、２４の大きさより小さく折り畳むことができない。さらに部品点数が多いので、製造工程が多くなってしまう。
【００１１】
そこで、本発明の目的は、上記課題を解決し、構成が簡単で不使用時には小さく折り畳め、被殺菌対象物の収納、取出しが容易な殺菌袋を提供することにある。
【００１２】
【課題を解決するための手段】
上記目的を達成するために本発明は、マットレスや畳等の被殺菌対象物を収納してその被殺菌対象物をオゾンにより殺菌するための殺菌袋において、袋体の一側端縁部にオゾン導入口とオゾン排気口とを設け、袋体の一方の面の内側に、一端がオゾン導入口に接続され複数のオゾン噴出穴が形成された袋状の流路を設け、袋体の一側端縁部を残して他の端縁部に開閉口を形成し、この開閉口にファスナ又はマジックテープを設けたものである。
【００１３】
上記構成に加え本発明は、袋体の一方の面に他のマジックテープのフック部を貼り付け、袋体の他方の面に、袋体を畳んだときにフック部と着脱自在に接合するように他のマジックテープのパイル部を貼り付けたものである。
【００１４】
上記構成に加え本発明は、袋体の袋状流路内にスペーサを挿入し、かつ、袋状流路内の穴を端部に形成したものである。
【００１５】
【作用】
上記構成によれば、殺菌袋を使用するときにはファスナを開けるか又はマジックテープを引き剥がして袋体の開閉口を開け、開閉口から被殺菌対象物を収納した後ファスナを閉めるか又はマジックテープを貼り合わせるだけで、袋体を揺すったり、被殺菌対象物を押し込んだりせずに容易に被殺菌対象物が収納される。殺菌後はファスナを開けるか又はマジックテープを引き剥がして袋体の開閉口を開けるだけで容易に被殺菌対象を取り出すことができる。
【００１６】
オゾンを袋体内に導入する袋状の流路が袋体と一体的に形成されているので、柔軟性に富んでおり、不使用時には流路ごと袋体を折り畳むことができる。折り畳んだ状態で袋体の一方の面のフック部を他方の面のパイル部に接触させるだけで袋体が折り畳まれた状態で保存される。
【００１７】
袋体の袋状流路内にスペーサを挿入し、かつ、袋状流路内の穴を端部に形成することにより、袋体内に被殺菌対象物を収納したときに、袋体の外側と被殺菌対象物とで流路が塞がれるのが防止されオゾンが被殺菌対象物に十分に行き渡る。
【００１８】
【実施例】
以下、本発明の一実施例を添付図面に基づいて詳述する。
【００１９】
図１は本発明の殺菌袋の一実施例の概念図である。
【００２０】
同図に示す殺菌袋３１には、略長方形の袋体３２の一側端縁部３２ａにオゾン導入口３３とオゾン排気口３４とが設けられている。袋体３２の一方の面の内側には、複数のオゾン噴出穴３５が形成された略コの字形状のシート３６が貼り付けられており、このシート３６の一端はオゾン導入口３３を覆っている。このシート３６と袋体３２とで袋状の流路３７が一体的に形成されている。
【００２１】
流路３７内には、スペーサとしての柔軟性のあるチューブ２１１等が挿入され、吹出口３５は、スペーサで塞がれないような位置に形成されている。
【００２２】
袋体３２は、その一側端縁部３２ａを残して他の端縁部にコの字形状の開閉口３８が形成されている。開閉口３８に沿ってファスナ３９が設けられており、一側端縁部３２ａを中心にして袋体３２がシート状に広げられるようになっている。
【００２３】
袋体３２の一方の面（紙面の表側）には他のマジックテープのフック部４０が貼り付けられており、袋体３２の他方の面（紙面の裏側）には他のマジックテープのパイル部４１が貼り付けられている。フック部４０とパイル部４１とは袋体３２を折り畳んだとき（あるいは巻いたとき）に貼り合わされるような位置に貼り付けられている。
【００２４】
次に実施例の作用を述べる。
【００２５】
例えばマットレスの殺菌を行うときには、まず殺菌袋３１のファスナ３９を開けると、袋体３２がシート状に広がる。シート状に広がった袋体３２の上にマットレスを置き、袋体３２でマットレスを挟んだ後ファスナ３９を閉めることにより、袋体３２を揺すったり、マットレスを押し込んだりすることなく、マットレスが容易に袋体３２内に収容される。マットレス収容後、オゾン導入口３３及びオゾン排気口３４と、殺菌装置１の接続口１０、１１とをガスホース４２、４３で接続する。殺菌装置１を作動させると、オゾンガスがガスホース４２、オゾン導入口３３を経て袋体３２の流路３７内に導入される。オゾンはオゾン噴出穴３５から袋体３２内に噴出される。
【００２６】
流路内のスペーサは、袋状流路が折り畳まれたり、マットレスと袋体との間で圧迫された状態になり、そこから先の流路を塞ぎ、オゾンガスの吹き出しが袋体内に不均一になってしまるのを防止するものである。また、吹出穴３５の位置もスペーサ自体で塞がれないような位置関係で開けられているものである。
【００２７】
袋体３２内のマットレスは吹出穴３５から吹出されるオゾンによって殺菌、脱臭される。殺菌に必要な時間が経過した後、制御装置がオゾン発生装置５の作動を停止させると共に真空ポンプ７を作動させる。袋体３２内のオゾンは、オゾン排気口３４及びガスホース４３を経て殺菌装置１のオゾンキラー６で酸素に分解された後排気口９から殺菌装置１の外部に排気される。
【００２８】
制御装置は、オゾンの排気に必要な時間が経過した後、真空ポンプ７を停止させることによりマットレスの殺菌が終了する。
【００２９】
殺菌終了後はファスナ３９を開けることにより、袋体３２がシート状に広がりマットレスを容易に取り出すことができる。
【００３０】
この殺菌袋３１は、袋体３２の内部に一体的に流路３７が形成されているので、殺菌袋３１を使用しないときは、流路３７ごと袋体３２を折り畳んだ後マジックテープのフック部４０をパイル部４１に接触させるだけで、袋体３２が折り畳まれた状態で保存される。図２に示した殺菌袋のように配管２７、２８を用いないためフランジ２３、２４を必要とせずその分部品数が減少する。
【００３１】
以上において本実施例によれば、オゾンを袋体内に導入する流路を袋状に形成したので、堅い配管がないので構成が簡単となり、不使用時には小さく折り畳め、被殺菌対象物の収納、取出し時に配管に引っ掛かることがなくなる。また、殺菌袋は安価なため寿命の場合には収納の際袋体全体を交換することができる。さらに、袋状の流路内にはスペーサがあるので潰れることがなく袋体内のマットレスにオゾンガスを十分に行き渡らせることができる。
【００３２】
図２は本発明の殺菌袋の他の実施例の概念図である。
【００３３】
図１に示した実施例との相違点は、開閉口にファスナの代わりにマジックテープを用いて袋体を密閉する点である。
【００３４】
同図に示す殺菌袋３１０の一端（図では左側）に開閉口を有している。この袋体３１１は密閉性を保つため、袋体３１１の端部（開閉口側）３１１ａを複数回折り曲げた状態で閉まるように配置されている（例えば袋体３１１の表面にマジックテープのフック部２１２を貼り付け、袋体３１１の裏面にフック部２１２と平行かつ一定の間隔を隔ててパイル部２１３を貼り付ける）。
【００３５】
マットレスの殺菌を行うときは、袋体３１１の開閉口からマットレスを収納し、端部３１１ａを折り曲げてマジックテープのフック部２１２とパイル部２１３とを貼り合わせて密閉すると共に、オゾン導入口３３とオゾン排気口３４にそれぞれ殺菌装置１の接続口１０、１１とをガスホース４２、４３で接続し、殺菌装置１を作動させると、オゾンが殺菌袋２０内に導入されてマットレスが殺菌脱臭される。
【００３６】
殺菌終了後はマジックテープのフック部２１２とパイル部２１３とを剥がして袋体３１１を開けることによりマットレスを取り出すことができる。
【００３７】
尚、上述した実施例では袋状の流路が略コの字形状に形成した場合で説明したがこれに限定されるものではなく、Ｖ字形状、Ｕ字形状、Ｔ字形状等他の形状でもよい。また、図ではマジックテープのフック部とパイル部との数はそれぞれ１つずつの１組であるがこれに限定されるものではない。
【００３８】
【発明の効果】
以上要するに本発明によれば、次のような優れた効果を発揮する。
【００３９】
袋体内にオゾンガスを導入するための袋状の流路を袋体内に一体的に形成し、開閉口にファスナ又はマジックテープを設けたので、簡単な構成で被殺菌対象物の収納、取出しが容易で不使用時には小さく折り畳められる。
【図面の簡単な説明】
【図１】本発明の殺菌袋の一実施例の概念図である。
【図２】本発明の殺菌袋の他の実施例の概念図である。
【図３】本発明の前提となった殺菌袋にオゾンを導入、排気するための殺菌装置の概念図である。
【図４】本発明の前提となった殺菌袋の殺菌装置の概念図である。
【符号の説明】
３１  殺菌袋
３２  袋体
３３  オゾン導入口
３４  オゾン排気口
３５  オゾン噴出穴
３７  流路
３８  開閉口
３９  ファスナ
２１１  チューブ
【図１】
0003638336.tif 000002
【図２】
0003638336.tif 000003
【図３】
0003638336.tif 000004
【図４】
0003638336.tif 000005